(57)【要約】コンテンツデータ（２０）のサイズ（Ａ０）が第２記録媒体（３）の未記録容量（Ｂ０）よりも大きいとき、コンテンツデータ（２０）を非変更データ部（２１）と変更データ部（２２）とに分割し、変更データ部（２２）についてのみ、映像解像度または記録ビットレートを下げる処理を行う。これにより、非変更データ部（２１）を高速でダビングすることができ、ダビングにかかる時間を短くすることができる。【特許請求の範囲】
【請求項１】
第１記録媒体に記録されたコンテンツデータを読み取り、これを第２記録媒体に記録する機能を備えた情報記録装置であって、
第１記録ビットレートでエンコードされ前記第１記録媒体に記録された前記コンテンツデータを前記第１記録媒体から読み取る読取手段と、
前記コンテンツデータを非変更データ部と変更データ部とに分割する分割手段と、
前記変更データ部の記録ビットレートを前記第１記録ビットレートから、前記第１記録ビットレートよりも低い第２記録ビットレートに変更する記録ビットレート変更手段と、
前記非変更データ部と、前記記録ビットレート変更手段により記録ビットレートが変更された変更データ部とを前記第２記録媒体に記録する記録手段とを備えていることを特徴とする情報記録装置。
【請求項２】
前記分割手段は、前記非変更データ部のサイズと、前記記録ビットレート変更手段により記録ビットレートが変更された変更データ部のサイズとの合計が、前記第２記録媒体の未記録領域の容量以下となるように、前記コンテンツデータの分割時における前記非変更データ部と前記変更データ部との分割位置を決定する分割位置決定手段を備えていることを特徴とする請求の範囲第１項に記載の情報記録装置。
【請求項３】
前記分割位置決定手段は、前記非変更データ部のサイズと、前記記録ビットレート変更手段により記録ビットレートが変更された変更データ部のサイズとの合計が、前記第２記録媒体の未記録領域の容量の範囲内で最大となるように、前記分割位置を決定することを特徴とする請求の範囲第２項に記載の情報記録装置。
【請求項４】
前記記録ビットレート変更手段は、前記非変更データ部のサイズと、前記記録ビットレート変更手段により記録ビットレートが変更された変更データ部のサイズとの合計が、前記第２記録媒体の未記録領域の容量以下となるように、前記第２記録ビットレートを決定する記録ビットレート決定手段を備えていることを特徴とする請求の範囲第１項に記載の情報記録装置。
【請求項５】
前記記録ビットレート決定手段は、前記非変更データ部のサイズと、前記記録ビットレート変更手段により記録ビットレートが変更された変更データ部のサイズとの合計が、前記第２記録媒体の未記録領域の容量の範囲内で最大となるように、前記第２記録ビットレートを決定することを特徴とする請求の範囲第４項に記載の情報記録装置。
【請求項６】
前記記録ビットレート変更手段は、
前記変更データ部をデコードするデコード手段と、
前記デコード手段によりデコードされた変更データ部を前記第２記録ビットレートでエンコードするエンコード手段とを備えていることを特徴とする請求の範囲第１項に記載の情報記録装置。
【請求項７】
コンテンツデータは映像データおよび音声データを含み、
前記記録ビットレート変更手段は、前記変更データ部に含まれる映像データの記録ビットレートよりも、前記変更データ部に含まれる音声データの記録ビットレートを優先的に低くすることを特徴とする請求の範囲第１項に記載の情報記録装置。
【請求項８】
前記第１記録媒体に記録されたコンテンツデータは、前記第１ビットレートでエンコードされた第１コンテンツデータ部と、前記第１記録ビットレートよりも高い第３記録ビットレートでエンコードされた第２コンテンツデータ部とを含み、
前記分割手段は、前記第２コンテンツデータ部の全部または一部を前記変更データ部に割り当てることを特徴とする請求の範囲第１項に記載の情報記録装置。
【請求項９】
第１記録媒体に記録され、映像データを含むコンテンツデータを読み取り、これを第２記録媒体に記録する機能を備えた情報記録装置であって、
第１映像解像度が設定された前記コンテンツデータを前記第１記録媒体から読み取る読取手段と、
前記コンテンツデータを非変更データ部と変更データ部とに分割する分割手段と、
前記変更データ部の映像解像度を前記第１映像解像度から、前記第１映像解像度よりも低い第２映像解像度に変更する映像解像度変更手段と、
前記非変更データ部と、前記映像解像度変更手段により映像解像度が変更された変更データ部とを前記第２記録媒体に記録する記録手段とを備えていることを特徴とする情報記録装置。
【請求項１０】
前記分割手段は、前記非変更データ部のサイズと、前記映像解像度変更手段により映像解像度が変更された変更データ部のサイズとの合計が、前記第２記録媒体の未記録領域の容量以下となるように、前記コンテンツデータの分割時における前記非変更データ部と前記変更データ部との分割位置を決定する分割位置決定手段を備えていることを特徴とする請求の範囲第９項に記載の情報記録装置。
【請求項１１】
前記分割位置決定手段は、前記非変更データ部のサイズと、前記映像解像度変更手段により映像解像度が変更された変更データ部のサイズとの合計が、前記第２記録媒体の未記録領域の容量の範囲内で最大となるように、前記分割位置を決定することを特徴とする請求の範囲第１０項に記載の情報記録装置。
【請求項１２】
前記映像解像度変更手段は、前記非変更データ部のサイズと、前記映像解像度変更手段により映像解像度が変更された変更データ部のサイズとの合計が、前記第２記録媒体の未記録領域の容量以下となるように、前記第２映像解像度を決定する映像解像度決定手段を備えていることを特徴とする請求の範囲第９項に記載の情報記録装置。
【請求項１３】
前記映像解像度決定手段は、前記非変更データ部のサイズと、前記映像解像度変更手段により映像解像度が変更された変更データ部のサイズとの合計が、前記第２記録媒体の未記録領域の容量の範囲内で最大となるように、前記第２映像解像度を決定することを特徴とする請求の範囲第１２項に記載の情報記録装置。
【請求項１４】
前記映像解像度変更手段は、
前記変更データ部をデコードするデコード手段と、
前記デコード手段によりデコードされた変更データ部に対し前記第２映像解像度を設定し、さらに当該デコードされた変更データ部をエンコードするエンコード手段とを備えていることを特徴とする請求の範囲第９項に記載の情報記録装置。
【請求項１５】
第１記録媒体に記録されたコンテンツデータを読み取り、これを第２記録媒体に記録する情報記録方法であって、
第１記録ビットレートでエンコードされた前記コンテンツデータを非変更データ部と変更データ部とに分割する分割工程と、
前記変更データ部を前記第１記録媒体から読み取る読取工程と、
前記読取工程において読み取られた変更データ部の記録ビットレートを前記第１記録ビットレートから、前記第１記録ビットレートよりも低い第２記録ビットレートに変更する記録ビットレート変更工程と、
前記非変更データ部を前記第１記録媒体から読み取り、これを前記第２記録媒体に記録する共に、前記記録ビットレート変更工程において記録ビットレートが変更された変更データ部を前記第２記録媒体に記録する記録工程とを備えていることを特徴とする情報記録方法。
【請求項１６】
第１記録媒体に記録されたコンテンツデータを読み取り、これを第２記録媒体に記録する情報記録方法であって、
第１映像解像度が設定された前記コンテンツデータを非変更データ部と変更データ部とに分割する分割工程と、
前記変更データ部を前記第１記録媒体から読み取る読取工程と、
前記読取工程において読み取られた変更データ部の映像解像度を前記第１映像解像度から、前記第１映像解像度よりも低い第２映像解像度に変更する映像解像度変更工程と、
前記非変更データ部を前記第１記録媒体から読み取り、これを前記第２記録媒体に記録する共に、前記映像解像度変更工程において映像解像度が変更された変更データ部を前記第２記録媒体に記録する記録工程とを備えていることを特徴とする情報記録方法。
【請求項１７】
請求の範囲第１項に記載の情報記録装置としてコンピュータを機能させることを特徴とするコンピュータプログラム。
【請求項１８】
請求の範囲第９項に記載の情報記録装置としてコンピュータを機能させることを特徴とするコンピュータプログラム。
【発明の詳細な説明】
【技術分野】
【０００１】
本発明は、例えば映像作品・音楽作品などのコンテンツデータを光ディスクに記録する情報記録装置および情報記録方法に関する。
【背景技術】
【０００２】
映像作品・音楽作品などのコンテンツデータを記録することができる記録媒体として、様々な記録媒体が普及している。このような記録媒体は、その記録容量に着目すると、主に数十Ｇバイトないし数百Ｇバイトの記録容量を有する大容量記録媒体と、数百Ｍバイトないし数Ｇバイトの記録容量を有する中・小容量記録媒体とに分類することができる。大容量記録媒体の代表例はハードディスクである。中・小容量記録媒体の代表例は、Ｂｌｕ−ｒａｙ、ＨＤ−ＤＶＤ、ＤＶＤ、ＣＤ（Compact Disc）などの光ディスクである。【０００３】
ところで、近年、ハードディスクドライブ装置と光ディスクドライブ装置とを備えた情報記録装置が普及している。このような情報記録装置の代表例は、ハードディスクドライブ内蔵型ＤＶＤレコーダである。【０００４】
ユーザは、ハードディスクドライブ内蔵型ＤＶＤレコーダを用いて、例えばテレビ番組などの映像作品をハードディスクまたはＤＶＤに記録する。ユーザは、一般に、テレビ番組をまずハードディスクに記録する。そして、ハードディスクに記録したテレビ番組を他の再生装置で再生したいとき、テレビ番組の記録データを家の外に持ち出したいとき、またはテレビ番組の記録データを長期的に保管したいときなどに、ユーザは、ハードディスクに記録したテレビ番組の記録データをＤＶＤにダビングする。【０００５】
ハードディスクドライブ内蔵型ＤＶＤレコーダの多くは、２種類のダビング方法を採用している。いわゆる高速ダビングと等速ダイビングである。【０００６】
高速ダビングとは、例えばＭＰＥＧ−２（Moving Picture Experts Group phase 2）によりエンコード（圧縮）された映像データまたはＡＣ−３（Audio Code number 3）によりエンコードされた音声データを、エンコードされたままの状態で、ハードディスクからＤＶＤへダビングする方法である。高速ダビングによれば、映像データまたは音声データをハードディスクから読み取り、これをＤＶＤにそのまま記録するので、ダビングを高速に短時間で行うことができる。もっとも、高速ダビングによれば、映像データまたは音声データを、すでに決められた記録ビットレートによりエンコードされた状態でハードディスクからＤＶＤへダビングするので、ダビングの過程で映像データまたは音声データの記録ビットレートを変更することができない。この結果、ダビングを行うに際し、映像データまたは音声データのサイズを変更することができない。【０００７】
一方、等速ダビングとは、例えばＭＰＥＧ−２によりエンコードされた映像データまたはＡＣ−３によりエンコードされた音声データを、デコード（伸張）し、記録ビットレートを変更し、再びエンコードし、それから、変更後の記録ビットレートでエンコードされた映像データまたは音声データをＤＶＤに記録するといった方法である。等速ダビングによれば、ダビングを行うために、映像データまたは音声データをいったんデコードする。このため、ダビングを行うのに、映像データまたは音声データを視聴目的で再生するのと同等の時間がかかる場合がある。つまり、等速ダビングは、高速ダビングと比較して、ダビングの速度が遅く、長い時間を必要とする。もっとも、等速ダビングによれば、ダビングの過程で、映像データまたは音声データの記録ビットレートを変更することができる。この結果、ダビングを行うに際し、映像データまたは音声データのサイズを変更することができる。
【発明の開示】
【発明が解決しようとする課題】
【０００８】
例えば、ユーザがハードディスクからＤＶＤへダビングを希望するコンテンツデータのサイズが、ＤＶＤの未記録領域の容量よりも大きいとき、現在普及しているハードディスクドライブ内蔵型ＤＶＤレコーダは、このコンテンツデータの全部について等速ダビングを行う。【０００９】
つまり、ハードディスクに記録されたコンテンツデータのサイズがＤＶＤの未記録領域の容量よりも大きいときには、このコンテンツデータの記録ビットレートを変更することにより、コンテンツデータのサイズを小さくしなければ、このコンテンツデータの全部をＤＶＤの未記録領域に記録することができない。このような場合、ハードディスクドライブ内蔵型ＤＶＤレコーダは、高速ダビングではなく、等速ダビングを選択し、コンテンツデータの全部について等速ダビングを行う。【００１０】
具体的には、このような場合、現在普及しているハードディスクドライブ内蔵型ＤＶＤレコーダの多くは、等速ダビングを選択すべき旨のメッセージを、レコーダに取り付けられた小型ディスプレイなどに表示し、等速ダビングの選択をユーザに提案する。そして、ユーザがその提案に同意し、等速ダビングを実行すべき旨の指示をレコーダに入力すると、コンテンツデータの全部について等速ダビングが行われる。【００１１】
しかし、上述したように、等速ダビングは、ダビングの速度が遅く、長い時間を必要とする。例えば、ダビングすべきコンテンツデータが１個の映画作品であり、総再生時間が２時間程度であり、高い記録ビットレート（例えば約１０Ｍｂｐｓ）でハードディスクに記録されていたとする。このため、このコンテンツデータのサイズが１０Ｇバイト程度であったとする。このコンテンツデータを、全記録領域が未記録の２層ＤＶＤ−Ｒ（記録容量８．５４Ｇバイト）にダビングするとする。この場合、コンテンツデータのサイズが２層ＤＶＤ−Ｒの記録容量よりも大きいので、ハードディスクドライブ内蔵型ＤＶＤレコーダは等速ダビングを選択する。等速ダビングによれば、ダビングを行うのに、コンテンツデータを視聴目的で再生するのと同等の時間がかかる。とすると、ダビング時間は２時間になる。ダビングにこのような長い時間がかかることは、不便である。【００１２】
本発明は上記に例示したような問題点に鑑みなされたものであり、本発明の課題は、コンテンツデータのサイズがダビング先の記録媒体の未記録容量よりも大きいときでも、コンテンツデータの全部を短時間でダビングすることができる情報記録装置、情報記録方法およびコンピュータプログラムを提供することにある。
【課題を解決するための手段】
【００１３】
上記課題を解決するために本発明の第１情報記録装置は、第１記録媒体に記録されたコンテンツデータを読み取り、これを第２記録媒体に記録する機能を備えた情報記録装置であって、第１記録ビットレートでエンコードされ前記第１記録媒体に記録された前記コンテンツデータを前記第１記録媒体から読み取る読取手段と、前記コンテンツデータを非変更データ部と変更データ部とに分割する分割手段と、前記変更データ部の記録ビットレートを前記第１記録ビットレートから、前記第１記録ビットレートよりも低い第２記録ビットレートに変更する記録ビットレート変更手段と、前記非変更データ部と、前記記録ビットレート変更手段により記録ビットレートが変更された変更データ部とを前記第２記録媒体に記録する記録手段とを備えている。【００１４】
上記課題を解決するために本発明の第２情報記録装置は、第１記録媒体に記録され、映像データを含むコンテンツデータを読み取り、これを第２記録媒体に記録する機能を備えた情報記録装置であって、第１映像解像度が設定された前記コンテンツデータを前記第１記録媒体から読み取る読取手段と、前記コンテンツデータを非変更データ部と変更データ部とに分割する分割手段と、前記変更データ部の映像解像度を前記第１映像解像度から、前記第１映像解像度よりも低い第２映像解像度に変更する映像解像度変更手段と、前記非変更データ部と、前記映像解像度変更手段により映像解像度が変更された変更データ部とを前記第２記録媒体に記録する記録手段とを備えている。【００１５】
上記課題を解決するために本発明の第１情報記録方法は、第１記録媒体に記録されたコンテンツデータを読み取り、これを第２記録媒体に記録する情報記録方法であって、第１記録ビットレートでエンコードされた前記コンテンツデータを非変更データ部と変更データ部とに分割する分割工程と、前記変更データ部を前記第１記録媒体から読み取る読取工程と、前記読取工程において読み取られた変更データ部の記録ビットレートを前記第１記録ビットレートから、前記第１記録ビットレートよりも低い第２記録ビットレートに変更する記録ビットレート変更工程と、前記非変更データ部を前記第１記録媒体から読み取り、これを前記第２記録媒体に記録する共に、前記記録ビットレート変更工程において記録ビットレートが変更された変更データ部を前記第２記録媒体に記録する記録工程とを備えている。【００１６】
上記課題を解決するために本発明の第２情報記録方法は、第１記録媒体に記録されたコンテンツデータを読み取り、これを第２記録媒体に記録する情報記録方法であって、第１映像解像度が設定された前記コンテンツデータを非変更データ部と変更データ部とに分割する分割工程と、前記変更データ部を前記第１記録媒体から読み取る読取工程と、前記読取工程において読み取られた変更データ部の映像解像度を前記第１映像解像度から、前記第１映像解像度よりも低い第２映像解像度に変更する映像解像度変更工程と、前記非変更データ部を前記第１記録媒体から読み取り、これを前記第２記録媒体に記録する共に、前記映像解像度変更工程において映像解像度が変更された変更データ部を前記第２記録媒体に記録する記録工程とを備えている。【００１７】
上記課題を解決するために本発明のコンピュータプログラムは、本発明の第１又は第２情報記録装置（但し、その各種態様を含む）としてコンピュータを機能させる。【００１８】
コンピュータ読取可能な媒体内のコンピュータプログラム製品は上記課題を解決するために、コンピュータにより実行可能なプログラム命令を明白に具現化し、該コンピュータを、上述した本発明の第１又は第２情報記録装置（但し、その各種態様を含む）として機能させる。【００１９】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の第１又は第２情報記録装置を比較的容易に実施可能となる。更に具体的には、当該コンピュータプログラム製品は、上述した本発明の第１又は第２情報記録装置として機能させるコンピュータ読取可能なコード（或いはコンピュータ読取可能な命令）から構成されてよい。【００２０】
本発明のこのような作用及び他の利得は次に説明する実施形態から明らかにされる。
【図面の簡単な説明】
【００２１】
【図１】本発明の情報記録装置の実施形態を示すブロック図である。
【図２】図１中の情報記録装置の第１のダビング動作を示すフローチャートである。
【図３】第１記録媒体に記録されたコンテンツデータおよび第１のダビング動作により第２記録媒体に記録されたコンテンツデータを示す説明図である。
【図４】第１のダビング動作により第２記録媒体に記録されたＤＶＤビデオフォーマットのコンテンツデータを示す説明図である。
【図５】第１のダビング動作により第２記録媒体に記録されたＶＲフォーマットのコンテンツデータを示す説明図である。
【図６】第１記録媒体に記録されたコンテンツデータおよび第２のダビング動作により第２記録媒体に記録されたコンテンツデータを示す説明図である。
【図７】第２のダビング動作により第２記録媒体に記録されたＤＶＤビデオフォーマットのコンテンツデータを示す説明図である。
【図８】第１記録媒体に記録されたコンテンツデータおよび第３のダビング動作により第２記録媒体に記録されたコンテンツデータを示す説明図である。
【図９】第１記録媒体に記録されたコンテンツデータおよび第４のダビング動作により第２記録媒体に記録されたコンテンツデータを示す説明図である。
【図１０】第４のダビング動作により第２記録媒体に記録されたＶＲフォーマットのコンテンツデータを示す説明図である。
【図１１】本発明を適用したハードディスクドライブ内蔵型ＤＶＤレコーダを示すブロック図である。
【符号の説明】
【００２２】
１  情報記録装置
２  第１記録媒体
３  第２記録媒体
１１  読取部
１２  分割部
１３  レート解像度変更部
１４  記録部
１５０  ハードディスクドライブ内蔵型ＤＶＤレコーダ
【発明を実施するための最良の形態】
【００２３】
以下、本発明を実施するための最良の形態について実施形態毎に順に図面に基づいて説明する。【００２４】
（情報記録装置の概要）
図１は、本発明の情報記録装置の実施形態を示している。図１中の情報記録装置１は、第１記録媒体２に記録されたコンテンツデータを読み取り、これを第２記録媒体３に記録する機能を備えている。この機能により、情報記録装置１は、第１記録媒体２に記録されたコンテンツデータを第２記録媒体３にダビングすることができる。【００２５】
第１記録媒体は、主に数十Ｇバイト以上の記録容量を有する大容量記録媒体であることが望ましい。第１記録媒体は例えばハードディスクであることが望ましい。【００２６】
第２記録媒体は、数百Ｍバイトないし数Ｇバイトの記録容量を有する中・小容量記録媒体であることが望ましい。第２記録媒体は、例えばＢｌｕ−ｒａｙ、ＨＤ−ＤＶＤ、ＤＶＤ、ＣＤ（Compact Disc）などの光ディスクであることが望ましい。なお、光ディスクは１層でも２層でもよいし、追記型でも書換可能型でもよい。【００２７】
情報記録装置１は、大容量記録媒体に対する情報・データの読取および記録を制御する制御装置、例えばハードディスクドライブ装置を備えていることが望ましい。また、情報記録装置１は、中・小容量記録媒体に対する情報・データの読取および記録を制御する制御装置、例えば光ディスクドライブ装置（ＣＤドライブ、ＤＶＤドライブなど）をも備えていることが望ましい。情報記録装置１は、例えばハードディスクドライブ内蔵型ＤＶＤレコーダに適用することができる。【００２８】
コンテンツデータは、例えば映像作品、音楽作品、テレビ番組などのデータである。コンテンツデータには、主に映像データおよび音声データが含まれているが、音楽作品のコンテンツデータのように、コンテンツデータに音声データしか含まれていない場合もある。つまり、コンテンツデータに含まれるデータの種類は、作品の形態などによって様々である。【００２９】
コンテンツデータは、第１記録媒体２に記録されている。例えば、一般に普及しているハードディスクドライブ内蔵型ＤＶＤレコーダは、テレビ放送局から放送されたテレビ番組をコンテンツデータとしてハードディスクに記録する機能を備えている。このような機能を過去に利用することにより、コンテンツデータは第１記録媒体２にすでに記録されている。【００３０】
また、第１記録媒体２に記録されているコンテンツデータは、第１記録ビットレートでエンコードされている。つまり、コンテンツデータは、第１記録ビットレートでエンコードされた状態で第１記録媒体２に記録されている。さらに、第１記録媒体２に記録されているコンテンツデータには、映像データが含まれており、この映像データには第１映像解像度が設定されている。【００３１】
なお、コンテンツデータのエンコードに採用されているエンコード方式は、可変ビットレートのエンコード方式であり、例えば、映像データについてはＭＰＥＧ２であり、音声データについてはＡＣ−３である。また、コンテンツデータのエンコードに採用されているエンコード方式は、映像解像度を可変に設定することができるエンコード方式である。例えば、ＭＰＥＧ２は映像解像度を可変に設定することができる。【００３２】
一般に普及しているハードディスクドライブ内蔵型ＤＶＤレコーダの多くは、テレビ番組などのコンテンツデータを録画するときに、録画したコンテンツデータの再生時の画質（画質モード）を選択・設定する機能を備えている。このようなＤＶＤレコーダによれば、ユーザが高画質モード（例えばＸＰモード、ファインモードなど）を選択すると、テレビ放送局から送信されたコンテンツデータが、例えば１０Ｍｂｐｓ（bits per second）程度の高い記録ビットレートでエンコードされ、ハードディスクに記録される。さらに、このエンコード時には、当該コンテンツデータに対し、例えばＦＤ１（Full D1 720×480）などの高い映像解像度が設定される。高い記録ビットレートまたは高い映像解像度が設定されると、コンテンツデータの単位再生時間当たりのサイズ（長さ）が大きくなる。【００３３】
一方、ユーザが低画質モード（例えばＳＰモード（または標準モード）、ＬＰモード、ＥＰモードなど）を選択すると、テレビ放送局から送信されたコンテンツデータが、例えば５または２．５Ｍｂｐｓ程度の低い記録ビットレートでエンコードされ、ハードディスクに記録される。さらに、ＬＰモードが選択されたときには、エンコード時に、当該コンテンツデータに対し、例えばＨＤ１（Half D1 352×480）などの低い映像解像度が設定される。低い記録ビットレートまたは低い映像解像度が設定されると、コンテンツデータの単位再生時間当たりのサイズ（長さ）が小さくなる。【００３４】
情報記録装置１は、このようなコンテンツデータをハードディスクなどの第１記録媒体２からＤＶＤなどの第２記録媒体３へダビングすることができる。ダビングを行うとき、情報記録装置１は、第１記録媒体２に記録されたコンテンツデータのサイズと、第２記録媒体２の未記録領域の容量とを比較する。そして、コンテンツデータのサイズが、第２記録媒体２の未記録領域の容量よりも大きいときには、情報記録装置１は、コンテンツデータを非変更データ部と変更データ部とに分割する。続いて、情報記録装置１は、変更データ部についてのみ、その記録ビットレートを第１記録ビットレートから、当該第１記録ビットレートよりも低い第２記録ビットレートに変更し、または、変更データ部についてのみ、その映像解像度を、第１映像解像度から、当該第１映像解像度よりも低い第２映像解像度に変更する。なお、記録ビットレートの変更と映像解像度の変更とを同時に行う場合もある。そして、情報記録装置１は、非変更データ部と、記録ビットレートまたは映像解像度（記録ビットレートおよび映像解像度のいずれか一方または双方）が変更された変更データ部とを第２記録媒体３に記録する。なお、変更データ部についての映像解像度または記録ビットレートの変更処理、非変更データ部の記録処理、および変更データ部の記録処理の実行順序は様々考えられる。これらの実行順序は処理効率などを考慮して決定する。【００３５】
変更データ部について記録ビットレートまたは映像解像度を低くすることにより、変更データ部のサイズが小さくなる。したがって、非変更データ部と、映像解像度または記録ビットレートを低くした後の変更データ部とを合わせたコンテンツデータ全体のサイズが、第２記録媒体２の未記録領域の容量以下になる。この結果、コンテンツデータの全部を第２記録媒体２に記録することが可能になる。【００３６】
このダビング処理において、非変更データ部は、第１映像解像度が設定され、第１記録ビットレートでエンコードされたままの状態で第１記録媒体２から読み取られ、そのままの状態で直ちに第２記録媒体３に記録される。このため、非変更データ部については、高速に短時間でダビングすることができる。例えば、非変更データ部については、４倍速、８倍速、１６倍速の高速ダビングを行うことができる。一方、変更データ部は、映像解像度が第１映像解像度から第２映像解像度に変更され、かつ、記録ビットレートが第１記録ビットレートから第２記録ビットレートに変更され、その後に第２記録媒体３に記録される。映像解像度の変更または記録ビットレートの変更を行うためには、通常、コンテンツデータをいったんデコードし、映像解像度または記録ビットレートを再設定し、その後、このコンテンツデータをエンコードしなければならない。このため、変更データ部のダビングは、非変更データ部のダビングと比較して低速である。例えば、変更データ部のダビングは、コンテンツデータを視聴目的で再生するのと同等の時間がかかる。【００３７】
情報記録装置１のダビング処理では、コンテンツデータのサイズが第２記録媒体３の未記録容量よりも大きいとき、コンテンツデータを非変更データ部と変更データ部とに分割し、変更データ部についてのみ、映像解像度または記録ビットレートの変更を行う。したがって、非変更データ部については高速に短時間でダビングを行うことができ、これによりダビング時間を短縮することができる。すなわち、ダビング速度が低速になるのは、コンテンツデータの一部、つまりデータ変更部だけである。したがって、コンテンツデータの全部について記録ビットレートの変更を行い、この結果コンテンツデータの全部について低速のダビングを行う場合と比較して、全体的な（平均的な）ダビング速度を速くすることができ、コンテンツデータ全部をダビングするのにかかる時間を短くすることができる。【００３８】
（情報記録装置の構成）
図１に示すように、情報記録装置１は、読取部１１、分割部１２、記録ビットレート／映像解像度変更部１３（以下、これを「レート解像度変更部１３」という。）、記録部１４、および制御部１５を備えている。【００３９】
読取部１１は、第１映像解像度が設定され、第１記録ビットレートでエンコードされ、第１記録媒体２に記録されたコンテンツデータを第１記録媒体２から読み取る。第１記録媒体２がハードディスクである場合には、読取部１１は、例えばハードディスクドライブ装置およびハードディスクドライブ装置を制御する中央演算処理装置などから構成することができる。【００４０】
分割部１２は、コンテンツデータを非変更データ部と変更データ部とに分割する。分割部１２は、データ処理機能を備えたデータ処理回路、例えば中央演算処理装置またはマルチプロセッシングユニットなどにより構成することができる。【００４１】
レート解像度変更部１３は、変更データ部の映像解像度を第１映像解像度から、第１映像解像度よりも低い第２映像解像度に変更する。さらに、レート解像度変更部１３は、変更データ部の記録ビットレートを第１記録ビットレートから、第１記録ビットレートよりも低い第２記録ビットレートに変更する。レート解像度変更部１３は、データ処理機能を備えたデータ処理回路、例えば中央演算処理装置またはマルチプロセッシングユニットなどにより構成することができる。【００４２】
記録部１４は、非変更データ部と、レート解像度変更部１３により映像解像度または記録ビットレートが変更された変更データ部とを第２記録媒体３に記録する。第２記録媒体２がＤＶＤである場合には、記録部１４は、例えばＤＶＤドライブ装置およびＤＶＤドライブ装置を制御する中央演算処理装置などから構成することができる。【００４３】
制御部１５は、読取部１１、分割部１２、レート解像度変更部１３および記録部１４の制御などを行う。制御部１５は、例えば中央演算処理装置またはマルチプロセッシングユニットなどにより構成することができる。【００４４】
さらに、分割部１２には、分割位置決定部１６を備えることが望ましい。分割位置決定部１６は、非変更データ部のサイズと、映像解像度または記録ビットレートを変更した後の変更データ部のサイズとの合計が、第２記録媒体３の未記録領域の容量以下となるように、コンテンツデータの分割時における非変更データ部と変更データ部との分割位置を決定する。【００４５】
さらに、分割位置決定部１６は、非変更データ部のサイズと、映像解像度または記録ビットレートを変更した後の変更データ部のサイズとの合計が、第２記録媒体３の未記録領域の容量の範囲内で最大となるように、分割位置を決定することが望ましい。これにより、第１記録媒体２に記録されたコンテンツデータのサイズと、最終的に第２記録媒体２に記録されるコンテンツデータのサイズとの差を小さくすることができる。したがって、映像解像度または記録ビットレートを変更すべき変更データ部を小さくすることができる。よって、変更データ部についての映像解像度の変更にかかる時間および記録ビットレートの変更にかかる時間をそれぞれ短くすることができ、これにより、ダビング時間をより一層短縮することができる。【００４６】
また、第１記録媒体２に記録されたコンテンツデータのサイズと、最終的に第２記録媒体２に記録されるコンテンツデータのサイズとの差を小さくすることができるので、映像解像度または記録ビットレートを変更することにより変更データ部のサイズを小さくする程度を小さくすることができる。すなわち、変更データ部の映像解像度を低下させる程度および記録ビットレートを低下させる程度をそれぞれ小さくすることができる。つまり、第１記録媒体２に記録されたコンテンツデータのサイズと、最終的に第２記録媒体２に記録されるコンテンツデータのサイズとの差が小さければ、変更データ部の映像解像度または記録ビットレートを大幅に下げることにより変更データ部のサイズを大幅に小さくする必要がない。したがって、変更データ部の画質を大幅に低下させずに、ダビング時間の短縮化を図ることができる。【００４７】
レート解像度変更部１３には、記録ビットレート／映像解像度決定部１７（以下、これを「レート解像度決定部１７」という。）、デコード部１８およびエンコード部１９を備えることが望ましい。レート解像度決定部１７は、非変更データ部のサイズと、映像解像度または記録ビットレートを変更した後の変更データ部のサイズとの合計が、第２記録媒体の未記録領域の容量以下となるように、第２記録ビットレートを決定する。デコード部１８は、変更データ部をデコードする。エンコード部１９は、デコード部１８によりデコードされた変更データ部を第２記録ビットレートでエンコードする。【００４８】
さらに、レート解像度決定部１７は、非変更データ部のサイズと、映像解像度または記録ビットレートを変更した後の変更データ部のサイズとの合計が、第２記録媒体の未記録領域の容量の範囲内で最大となるように、第２記録ビットレートを決定することが望ましい。これにより、第１記録媒体２に記録されたコンテンツデータのサイズと、最終的に第２記録媒体２に記録されるコンテンツデータのサイズとの差を小さくすることができる。したがって、映像解像度または記録ビットレートを変更すべき変更データ部を小さくすることができる。よって、変更データ部についての映像解像度の変更にかかる時間および記録ビットレートの変更にかかる時間をそれぞれ短くすることができ、これにより、ダビング時間をより一層短縮することができる。【００４９】
また、第１記録媒体２に記録されたコンテンツデータのサイズと、最終的に第２記録媒体２に記録されるコンテンツデータのサイズとの差を小さくすることができるので、映像解像度または記録ビットレートを変更することにより変更データ部のサイズを小さくする程度を小さくすることができる。すなわち、変更データ部の映像解像度を低下させる程度および記録ビットレートを低下させる程度をそれぞれ小さくすることができる。つまり、第１記録媒体２に記録されたコンテンツデータのサイズと、最終的に第２記録媒体２に記録されるコンテンツデータのサイズとの差が小さければ、変更データ部の映像解像度または記録ビットレートを大幅に下げることにより変更データ部のサイズを大幅に小さくする必要がない。したがって、変更データ部の画質を大幅に低下させずに、ダビング時間の短縮化を実現することができる。【００５０】
第１記録媒体２に記録されたコンテンツデータが映像データおよび音声データを含んでいる場合には、レート解像度変更部１３は、変更データ部に含まれる映像データの記録ビットレートよりも、変更データ部に含まれる音声データの記録ビットレートを優先的に低くすることが望ましい。これにより、画質の低下を抑えながら、ダビング時間の短縮化を図ることができる。【００５１】
（ダビング動作１）
図２は情報記録装置１の第１のダビング動作を示している。図３は、第１記録媒体２に記録されたコンテンツデータ（図中上段）および第１のダビング動作により第２記録媒体３に記録されたコンテンツデータ（図中下段）を示している。【００５２】
ダビング動作が開始される前の段階において、情報記録装置１は次のような状態にある。すなわち、図３中上段に示すように、第１記録媒体２には、第１映像解像度が設定され、第１記録ビットレートでエンコードされたコンテンツデータ２０が記録されている。また、ダビング動作時に記録部１４が第２記録媒体３にデータを記録するための準備が整っている。例えば、ＤＶＤがＤＶＤドライブ装置に装着されている。【００５３】
このような状態で、ユーザが情報記録装置１に対してダビングすべきコンテンツデータ２０を指定し、ダビング開始の指示を入力すると、情報記録装置１はダビング動作を開始する。なお、ダビングすべきコンテンツデータ２０の指定やダビング開始の指示入力は、例えば情報記録装置１またはリモコンに設けられた操作スイッチ（図示せず）をユーザが操作することにより行われる。【００５４】
ダビング動作が開始されると、図２に示すように、情報記録装置１の制御部１５は、まず、第１記録媒体２に記録されたコンテンツデータ２０のサイズＡ０および第２記録媒体３の未記録領域の容量Ｂ０を認識する（ステップＳ１）。コンテンツデータ２０のサイズＡ０の認識は、コンテンツデータ２０に含まれる管理情報２０Ａを読取部１１により読み取り、この管理情報２０Ａを参照することにより行うことができる。また、第２記録媒体３の未記録領域の容量Ｂ０の認識は、第２記録媒体３に記録された管理情報を読み取り、これを参照することにより行うことができる。【００５５】
続いて、制御部１５は、コンテンツデータ２０のサイズＡ０と第２記録媒体３の未記録領域の容量Ｂ０とを比較する。そして、制御部１５は、コンテンツデータ２０の全部を第２記憶媒体３に記録することができるか否かを判断する（ステップＳ２）。コンテンツデータ２０のサイズＡ０が第２記録媒体３の未記録領域の容量Ｂ０以下であるときには、制御部１５は、コンテンツデータ２０の全部を第２記憶媒体３に記録することができると判断する。一方、コンテンツデータ２０のサイズＡ０が第２記録媒体３の未記録領域の容量Ｂ０よりも大きいときには、制御部１５は、コンテンツデータ２０の全部を第２記憶媒体３に記録することができないと判断する。【００５６】
コンテンツデータ２０の全部を第２記録媒体３に記録することができないとき（ステップＳ２：ＮＯ）、情報記録装置１は、後のステップＳ４およびステップＳ６において、コンテンツデータ２０を非変更データ部２１と変更データ部２２とに分割し、変更データ部２２の映像解像度または記録ビットレートを変更する。これらの工程の準備として、レート解像度決定部１７は、変更データ部２２の変更後の映像解像度、すなわち第２映像解像度と、変更データ部２２の変更後の記録ビットレート、すなわち第２記録ビットレートとを決定する（ステップＳ３）。【００５７】
変更データ部２２の変更は、変更データ部２２のサイズを小さくすることを主目的とする。変更データ部２２のサイズを小さくする方法は、(i)変更データ部２２の映像解像度を下げる方法、(ii)変更データ部２２の記録ビットレートを下げる方法、(iii)変更データ部２２の映像解像度と記録ビットレートの双方を下げる方法がある。なお、変更データ部２２の映像解像度を下げると、これに伴って記録ビットレートも下がるのが一般的である。(iii)の方法では、変更データ部２２の映像解像度を下げ、これに伴って生じる記録ビットレートの低下の程度を超えて記録ビットレートをさらに下げる。【００５８】
(i)または(ii)の方法によれば、ダビング動作により第２記録媒体３に記録された変更データ部３２の画質が若干低下するがダビング時間を短縮することができる。（iii）の方法によれば、変更データ部３２の画質がかなり低下するがダビング時間を大幅に短縮することができる。【００５９】
ステップＳ３において、レート解像度決定部１７は、まず、上記(i)ないし(iii)の方法のうちの１個を選択する。【００６０】
なお、(i)ないし(iii)の方法のいずれかの選択をユーザに委ねてもよい。例えば、ダビング後の変更データ部３２の画質を優先するダビングモードを「モードＡ」とし、変更データ部３２の画質よりもダビング時間の短縮を優先するダビングモードを「モードＢ」とする。そして、モードＡには上記(i)または(ii)の方法を割り当て、モードBには上記(iii)の方法を割り当てる。ダビング時には、これらダビングモードの選択を促すメッセージを、情報記録装置１に設けられた小型ディスプレイ装置（図示せず）に表示する。またはこのメッセージを情報記録装置１と接続されるＴＶ画面（図示せず）に表示してもよい。ユーザはこのメッセージを見て、情報記録装置１またはリモコンなどに設けられた操作スイッチ（図示せず）を操作し、ダビングモードの選択指示を情報記録装置１に入力する。【００６１】
あるいは、(i)ないし(iii)の方法のいずれかの選択をユーザに委ねるのではなく、レート解像度決定部１７または制御部１５などが(i)ないし(iii)の方法のいずれかの選択を自動的に行ってもよい。例えば、コンテンツデータ２０のサイズＡ０が第２記録媒体の未記録領域の容量Ｂ０よりも大幅に大きいときには、ダビング時間の短縮率を高めるために、(iii)の方法を選択する。それ以外のときには、(i)または(ii)の方法を選択する。【００６２】
続いて、ステップＳ３において、レート解像度決定部１７は、(i)ないし(iii)のいずれかの方法に従って第２映像解像度および第２記録ビットレートを決定する。(i)の方法を選択したときには、レート解像度決定部１７は、変更データ部２２の映像解像度を下げる（例えばＦＤ１をＨＤ１にする）。つまり、レート解像度決定部１７は、第１映像解像度よりも低い第２映像解像度を設定する。この場合、一般に映像解像度の低下に伴って記録ビットレートも下がる。この結果、第１記録ビットレートよりも低い第２記録ビットレートが設定される。【００６３】
(ii)の方法を選択したときには、レート解像度決定部１７は、変更データ部２２の記録ビットレートを下げる（例えば約１０Ｍｂｐｓを約５Ｍｂｐｓにする）。つまり、レート解像度決定部１７は、第１記録ビットレートよりも低い第２記録ビットレートを設定する。この場合、映像解像度は維持される。この結果、第１映像解像度と等しい第２映像解像度が設定される。【００６４】
(iii)の方法を選択したときには、レート解像度決定部１７は、変更データ部２２の映像解像度および記録ビットレートの双方を下げる。つまり、レート解像度決定部１７は、第１映像解像度よりも低い第２映像解像度を設定し、さらに、第１記録ビットレートよりも低い第２記録ビットレートを設定する。【００６５】
第２映像解像度および第２記録ビットレートの決定が完了したら、続いて、分割位置決定部１６は、コンテンツデータ２０の分割位置ＤＰを決定し、この分割位置ＤＰを境にしてコンテンツデータ２０を非変更データ部２１と変更データ部２２とに分割する（ステップＳ４）。【００６６】
例えば変更データ部２２について、映像解像度を維持し、記録ビットレートを第１記録ビットレートから第２記録ビットレートに変更する場合、分割位置決定部１６は、次のようにして分割位置の決定を行う。【００６７】
まず、ダビングすべきコンテンツデータ２０の全体のサイズＡ０から管理情報２０ＡのサイズＡ１を引く。これにより、コンテンツデータ２０のうちの管理情報２０Ａ以外の部分のサイズＡ２が得られる。コンテンツデータ２０のうちの管理情報２０Ａ以外の部分のサイズＡ２を得る理由は、管理情報２０Ａは、情報の性質上、記録ビットレートまたは映像解像度の変更の対象とならないからである。【００６８】
続いて、第２記録媒体３の未記録領域の容量Ｂ０から管理情報２０ＡのサイズＡ１を引く。これにより、コンテンツデータ２０のうちの管理情報２０Ａ以外の部分を記録することが可能な、第２記録媒体３の未記録領域の容量Ｂ１が得られる。なお、図３では、ダビング動作の前において第２記録媒体３の記録領域の全部が未記録領域である場合を例にあげているが、ダビング動作の前において第２記録媒体３の記録領域の一部に他のデータがすでに記録されている場合には、残りの未記録領域に対して上記および下記と同様の処理を行う。【００６９】
ここで、非変更データ部２１のサイズをＡ３（このサイズはダビング前後で変更されない）とし、記録ビットレート変更前の変更データ部２２のサイズをＡ４とし、第１記録ビットレートをＲ１とし、第２記録ビットレートをＲ２とすると、例えば、下記の式（１）および（２）が成立する。【００７０】
Ａ３＋Ａ４＝Ａ２                  （１）
Ａ３＋Ｒ２／Ｒ１・Ａ４＝Ｂ１      （２）
これら２式により、非変更データ部２１のサイズＡ３および記録ビットレート変更前の変更データ部２２のサイズＡ４を算出する。続いて、サイズＡ３またはＡ４に基づいて、コンテンツデータ２０の分割位置ＤＰを決定する。【００７１】
ここで、具体的な数値をあげて、コンテンツデータ２０の分割位置ＤＰの決定について再び説明する。【００７２】
第１記録媒体２に記録されたコンテンツデータ２０が、記録ビットレート１０Ｍｂｐｓでエンコードされた２時間の映像データであるとする。このコンテンツデータの全体のサイズＡ０は、
１０Ｍｂｉｔ×２×６０×６０÷８＝９Ｇバイト
である。一方、第２記録媒体３は記録領域の全部が未記録領域である未使用の２層ＤＶＤ−Ｒ（２層ＤＶＤ−Recordable）であり、その未記録領域の容量Ｂ０は８．５４Ｇバイトであるとする。コンテンツデータ２０のサイズＡ０と第２記録媒体３の未記録領域の容量Ｂ０を比較すると、コンテンツデータ２０のサイズの方が大きい。そこで、コンテンツデータ２０を非変更データ部２１と変更データ部２２とに分割し、例えば変更データ部２２の映像解像度を維持したまま、変更データ部２２の記録ビットレートを１０Ｍｂｐｓから５Ｍｂｐｓに変更する。つまり、この例では、第１記録ビットレートＲ１は１０Ｍｂｐｓであり、第２記録ビットレートＲ２は５Ｍｂｐｓである。【００７３】
コンテンツデータ２０に含まれる管理情報２０Ａのサイズが０．０２５Ｇバイトであるとすると、コンテンツデータ２０のうちの管理情報２０Ａ以外の部分のサイズＡ２は、
９−０．０２５＝８．９７５Ｇバイト
である。また、コンテンツデータ２０のうち管理情報２０Ａ以外の部分を記録することが可能な第２記録媒体３の未記録領域の容量Ｂ１は、
８．５４−０．０２５＝８．５１５Ｇバイト
である。【００７４】
以上のような具体的な数値を上記式（１）および式（２）に当てはめると、次のようになる。【００７５】
Ａ３＋Ａ４＝８．９７５
Ａ３＋５÷１０×Ａ４＝８．５１５
これら２式により、Ａ３は８．０５５Ｇバイトになり、Ａ４は０．９２Ｇバイトになる。コンテンツデータ２０の全体のサイズＡ０および管理情報２０ＡのサイズＡ１がすでにわかっているので、これらの値とＡ３またはＡ４の値とから分割位置ＤＰ（例えばアドレス番号）を算出することができる。【００７６】
分割位置ＤＰが決まり、コンテンツデータ２０の分割が完了したら、続いて、読取部１１は、非変更データ部２１を第１記録媒体２から読み取り、これを、第１映像解像度および第１記録ビットレートでエンコードされたままの状態で第２記録媒体３の未記録領域に記録する（図２中のステップＳ５）。例えば、非変更データ部２１のサイズＡ３が８．５１５Ｇバイトである場合には、４倍速ダビングを行うことにより、非変更データ部２１のダビングにかかる時間は約２４分である。これを得る計算式は次のとおりである。【００７７】
８．０５５Ｇバイト×８÷１１．０８Ｍｂｐｓ÷４÷６０＝２４．２分    （３）
なお、非変更データ部２１を第２記録媒体３に記録するとき、管理情報３０Ａを記録するための領域を第２記録媒体３の未記録領域中に確保しておく。【００７８】
続いて、レート解像度変更部１３は、変更データ部２２の映像解像度または記録ビットレートを変更する。具体的には、まず、読取部１１が変更データ部２２を第１記録媒体２から読み取る。続いて、デコード部１８が、読み取られた変更データ部２２をデコードする。続いて、エンコード部１９が、デコードされた変更データ部２２を、第２映像解像度および第２記録ビットレートでエンコードする。これにより、変更データ部２２は、サイズが減少し、変更データ部３２となる。続いて、記録部１４が、変更データ部３２を第２記録媒体３の未記録領域に記録する（ステップＳ６）。【００７９】
例えば変更データ部のサイズＡ４が０．９２Ｇバイト、第１記録ビットレートＲ１が１０Ｍｂｐｓ、第２記録ビットレートＲ２が５Ｍｂｐｓであり、変更データ部２２の映像解像度を維持しながら、記録ビットレートを第１記録ビットレートＲ１から第２記録ビットレートＲ２に変更するとした場合、変更データ部２２のダビングにかかる時間は約１２分である。これを得る計算式は次のとおりである。【００８０】
０．９２Ｇバイト×８÷１０Ｍｂｐｓ÷６０＝１２．３分      （４）
また、記録ビットレート変更後の変更データ部２２、すなわち変更データ部３２のサイズＢ２は、
Ｂ２＝Ｒ２／Ｒ１・Ａ４
である。上述した数値（Ａ４＝０．９２Ｇバイト、Ｒ１＝１０Ｍｂｐｓ、Ｒ２＝５Ｍｂｐｓ）をこの式に当てはめると、Ｂ２は０．４６Ｇバイトになる。【００８１】
続いて、制御部１５は、第２記録媒体３上に記録された非変更データ部３１および変更データ部３２の管理情報３０Ａを作成し、これを第２記録媒体３に記録する（ステップＳ７）。【００８２】
以上のようなダビング動作により、第２記録媒体３には、図３中下段に示すように、コンテンツデータ３０が記録される。コンテンツデータ３０において、非変更データ部３１は、図３中上段のコンテンツデータ２０における非変更データ部２１と、映像解像度および記録ビットレートが同じであり、サイズも同じである。もちろんコンテンツの内容も同じである。一方、コンテンツデータ３０における変更データ部３２は、コンテンツデータ２０における変更データ部２２よりも映像解像度または記録ビットレートが低く、サイズも小さい。もっとも、変更データ部３２は、映像解像度または記録ビットレートの低下によりデータの圧縮率が高まっており、その結果サイズが小さくなっているものの、コンテンツの内容は変更データ部２２と同じである。【００８３】
上述した具体的な数値を用いてコンテンツデータ３０のサイズを確認すると、管理情報３０Ａのサイズが０．０２５Ｇバイトであり、非変更データ部３１のサイズが８．０５５Gバイトであり、変更データ部３２のサイズＢ２が０．４６Ｇバイトであるので、コンテンツデータ３０のサイズは８．５４Ｇバイトになる。これは第２記録媒体３（２層ＤＶＤ−Ｒ）の未記録領域の容量Ｂ０と同じである。【００８４】
一方、図２中のステップＳ２において、コンテンツデータ２０の全部を第２記録媒体３に記録することができるときには（ステップＳ２：ＹＥＳ）、読取部１１は、コンテンツデータ２０の全部を第１記録媒体２から順次に読み取り、これを、第１映像解像度および第１記録ビットレートでエンコードされたままの状態で第２記録媒体３に順次に記録する（ステップＳ８）。【００８５】
以上説明したとおり、情報記録装置１によれば、コンテンツデータ２０のサイズＡ０が第２記録媒体３の未記録領域の容量Ｂ０よりも大きいとき、コンテンツデータ２０を非変更データ部２１と変更データ部２２とに分割し、変更データ部２２についてのみ、映像解像度または記録ビットレートの変更を行う。したがって、非変更データ部２１については高速に短時間でダビングを行うことができ、これによりダビング時間を短縮することができる。すなわち、ダビング速度が低速になるのは、コンテンツデータ２０の一部、つまりデータ変更部２２だけである。したがって、コンテンツデータ２０の全部について記録ビットレートの変更を行い、この結果コンテンツデータ２０の全部について低速のダビングを行う場合と比較して、全体的な（平均的な）ダビング速度を速くすることができ、コンテンツデータ２０全部をダビングするのにかかる時間を短くすることができる。【００８６】
例えば、コンテンツデータが記録ビットレート１０Ｍｂｐｓでエンコードされた２時間の映像データである場合、コンテンツデータの全部について再生速度と同等の低速のダビングを行うと、ダビング時間は１２０分になる。これに対し、情報記録装置１における第１のダビング動作によれば、上述した計算式（３）および（４）により、ダビング時間は、約３７分である。このように、情報記録装置１によれば、ダビング時間を約８３分短縮することができる。【００８７】
なお、上述した情報記録装置１のダビング動作では、変更データ部２２のサイズＡ４を式（１）および（２）により算出し、その算出結果をそのまま用いている。この場合、理論上、ダビング後のコンテンツデータ３０が第２記録媒体３の未記録領域にぴったり収まることになる。しかし、現実のダビング動作では、変更データ部２２のサイズＡ４を、式（１）および（２）による算出結果よりも大きく設定し、ダビング後のコンテンツデータ３０が第２記録媒体３の未記録領域に余裕をもって収まるようにすることが望ましい。【００８８】
また、上述したダビング動作では、非変更データ部の読取・記録を行い、その後、変更データ部の読取・レート／解像度変更・記録を行い、その後、管理情報の生成・記録を行う場合を例にあげた。しかし、変更データ部のレート／解像度変更および管理情報の生成を行ってから、管理情報、非変更データ部および変更データ部を第２記録媒体３にいっぺんに記録してもよい。例えば、変更データ部のレート／解像度変更および管理情報の生成を第１記録媒体２上で行う。そして、管理情報、非変更データ部および変更データ部を第２記録媒体３に記録すべき順序で、第１記録媒体２から読み取り、これらを第２記録媒体３に順次記録する。【００８９】
図４は、情報記録装置１の第１のダビング動作により第２記録媒体３に記録されたコンテンツデータの一例を示している。この例では、第２記録媒体３は２層ＤＶＤ−Ｒであり、コンテンツデータのフォーマットはＤＶＤビデオフォーマットである。図４に示すように、コンテンツデータ４０において、ファイルシステム（ＦＳ）４１、ビデオマネージャー（ＶＭＧ）４２およびビデオタイトルセットインフォメーション（ＶＴＳＩ）４３はいずれも管理情報に当たる。ビデオオブジェクト（ＶＯＢ）４４、４４、…は非変更データ部を構成する。また、ビデオオブジェクト（ＶＯＢ）４５、４５、…は変更データ部を構成する。ビデオオブジェクト４４は、第１映像解像度および第１記録ビットレートでエンコードされたままの状態で第２記録媒体３に記録されている。一方、ビデオオブジェクト４５は、映像解像度が第２映像解像度に変更され、記録ビットレートが第２記録ビットレートに変更された状態で第２記録媒体３に記録されている。この結果、ダビング前において、ビデオオブジェクト４５のサイズは、ビデオオブジェクト４４のサイズと平均的にみてほぼ同じであったが、ダビング後においては、ビデオオブジェクト４５のサイズは、ビデオオブジェクト４４のサイズよりも平均的にみて小さくなっている。【００９０】
また、コンテンツデータのフォーマットがＤＶＤビデオフォーマットの場合、ダビング動作において、コンテンツデータの分割位置がビデオオブジェクトとビデオオブジェクトとの境界に一致するように、分割位置の決定を行う。このため、ビデオオブジェクトの途中で映像解像度が変更されることがなく、ＤＶＤビデオフォーマットの規格に違反しない。なお、１個のビデオオブジェクトを２個のビデオオブジェクトに分割することも可能であるので、１個のビデオオブジェクトを２個のビデオオブジェクトに分割してから、それら２個のビデオオブジェクトの境界に分割位置が一致するように分割位置の決定を行ってもよい。さらに、例えば分割位置の決定に際して、コンテンツデータ中の当該分割位置に対応する画像を一時的にディスプレイ（ＴＶ画面など）に表示させ、その後ユーザに分割位置を調整させてもよい。例えばユーザが情報記録装置１またはリモコンなどに設けられた操作スイッチを操作し、ユーザの所望する分割位置が決定したら、必要に応じて上述のごとくビデオオブジェクトの境界に分割位置が一致するように制御する。これによりユーザにとって重要な場面での画質の低下が防止される。【００９１】
図５は、情報記録装置１の第１のダビング動作により第２記録媒体３に記録されたコンテンツデータの他の例を示している。この例は、第２記録媒体３が２層ＤＶＤ−Ｒであり、コンテンツデータがＶＲ（Video Recording）フォーマットである場合の例である。図５に示すように、コンテンツデータ５０において、ファイルシステム（ＦＳ）５１およびビデオマネージャー（ＶＭＧ）５２はいずれも管理情報に当たる。ビデオオブジェクト（ＶＯＢ）５３、５３、…は非変更データ部を構成する。また、ビデオオブジェクト（ＶＯＢ）５４、５４、…は変更データ部を構成する。【００９２】
（ダビング動作２）
図６は、第１記録媒体２に記録されたコンテンツデータ（図中上段）および第２のダビング動作により第２記録媒体３に記録されたコンテンツデータ（図中下段）を示している。図６中上段に示すように、ダビングすべきコンテンツデータ６０が複数（図６の例では６個）のデータグループ６１，６１、…（例えばＤＶＤビデオフォーマットにおけるタイトル）に分かれている場合には、情報記録装置１は、第１のダビング動作に代えて第２のダビング動作を行ってもよい。【００９３】
第２のダビング動作では、データグループ６１とデータグループ６１との境界と一致するように分割位置ＤＰを決定する。なお、第２のダビング動作は、分割位置ＤＰの決定方法を除き、第１のダビング動作とほぼ同じである。【００９４】
第２のダビング動作において、分割位置決定部１６は、分割位置ＤＰの決定を次のように行う。まず、ダビングすべきコンテンツデータ６０の全体のサイズＡ１０から管理情報６０Ａのサイズを引く。図６に示すように、管理情報６０Ａがデータグループ６１ごとに存在する場合には、コンテンツデータ２０に含まれるすべてのデータグループ６１に含まれる管理情報６０Ａのサイズの合計（Ａ１１＋Ａ１２＋…＋Ａ１６）を算出し、この合計値をコンテンツデータの全体のサイズＡ１０から引く。これにより、コンテンツデータ６０のうちの管理情報６０Ａ以外の部分のサイズ（Ａ２１＋Ａ２２＋…＋Ａ２６）が得られる。【００９５】
続いて、第２記録媒体３の未記録領域の容量Ｂ０から管理情報６０Ａのサイズ（図６に示すように管理情報６０Ａが複数ある場合にはすべての管理情報６０Ａのサイズの合計値）を引く。これにより、コンテンツデータ６０のうちの管理情報６０Ａ以外の部分を記録することが可能な、第２記録媒体３の未記録領域の容量が得られる。【００９６】
続いて、非変更データ部６２のサイズおよび変更データ部６３のサイズを決定する。まず、上述した式（１）および（２）に基づいて、変更データ部６３の理論上の最小サイズと、このときの非変更データ部６２のサイズとを算出する。続いて、算出された非変更データ部６２のサイズまたは変更データ部６３のサイズに基づいて仮の分割位置を決定する。この仮の分割位置の決定方法は、第１のダビング動作における分割位置の決定方法と同じである。【００９７】
続いて、仮の分割位置よりもコンテンツデータ６０の先頭側に位置し、かつ、この仮の分割位置に最も近い位置にある、データグループとデータグループとの境界を見つけ出す。続いて、見つけ出した境界に正式な分割位置ＤＰを設定する。【００９８】
第２のダビング動作により、第２記録媒体３には、図６中下段に示すように、コンテンツデータ７０が記録される。コンテンツデータ７０において、非変更データ部７２は、図６中上段のコンテンツデータ６０における非変更データ部６２と、映像解像度および記録ビットレートが同じであり、サイズも同じである。また、非変更データ部７２が複数のデータグループ７１、７１、…に分かれている点、データグループごとに管理情報７０Ａが存在する点も、非変更データ部６２と同じである。もちろんコンテンツの内容も同じである。一方、コンテンツデータ７０における変更データ部７３は、コンテンツデータ６０における変更データ部６３よりも映像解像度または記録ビットレートが低く、管理情報７０Ａ以外の部分のサイズ（Ｂ２１＋Ｂ２２）も小さい。もっとも、変更データ部７３は、映像解像度または記録ビットレートの低下によりデータの圧縮率が高まっており、その結果、管理情報７０Ａ以外の部分のサイズが小さくなっているものの、複数のデータグループ７１に分かれている点や、コンテンツの内容は変更データ部６３と同じである。【００９９】
以上説明したとおり、第２のダビング動作では、データグループ６１とデータグループ６１との境界と一致するように分割位置ＤＰを決定する。これにより、変更データ部に割り当てられるコンテンツデータがデータユニット単位となる。この結果、映像解像度または記録ビットレートの変更により画質が低下するのも、データユニット単位になる。したがって、ダビング後に第２記録媒体３に記録されたコンテンツデータを再生すると、データグループの切り替わり時に画質が変化する。データグループの再生途中で画質が変化する場合よりも、データグループの切り替わり時に画質が変化する方が、画質の変化が目立たず、また画質の変化に違和感を感じにくい。このように、第２のダビング動作によれば、画質の変化を目立たなくすることができる。【０１００】
図７は、第２のダビング動作により第２記録媒体３に記録されたコンテンツデータの一例を示している。この例は、第２記録媒体３が２層ＤＶＤ−Ｒであり、コンテンツデータがＤＶＤビデオフォーマットである場合の例である。図７に示すように、コンテンツデータ８０において、ファイルシステム（ＦＳ）８１、ビデオマネージャー（ＶＭＧ）８２およびビデオタイトルセットインフォメーション（ＶＴＳＩ）８３、８３、…はいずれも管理情報に当たる。コンテンツデータ８０は複数のタイトルに分かれており、タイトルごとにビデオタイトルセットインフォメーション８３が存在している。ビデオオブジェクト（ＶＯＢ）８４、８４、…は非変更データ部を構成する。また、ビデオオブジェクト（ＶＯＢ）８５、８５、…は変更データ部を構成する。【０１０１】
なお、ダビングすべきコンテンツデータが複数のコンテンツデータである場合にも、第２のダビング動作を適用することができる。この場合には、分割位置ＤＰを、コンテンツデータとコンテンツデータとの境界に一致するように決定する。【０１０２】
（ダビング動作３）
図８は、第１記録媒体２に記録されたコンテンツデータ（図中上段）および第３のダビング動作により第２記録媒体３に記録されたコンテンツデータ（図中下段）を示している。図８中上段に示すように、ダビングすべきコンテンツデータ９０が複数のデータグループ９１Ａ、９１Ｂ、９１Ｃに分かれており、さらに、複数のデータグループ９１Ａ、９１Ｂ、９１Ｃの中に、他のデータグループの記録ビットレートよりも高い記録ビットレートを有するデータグループが含まれている場合には、情報記録装置１は、第１または第２のダビング動作に代えて第３のダビング動作を行ってもよい。【０１０３】
第３のダビング動作では、コンテンツデータ９０中のデータグループ９１Ａ、９１Ｂ、９１Ｃの中から、最も高い記録ビットレートでエンコードされているデータユニットの一部または全部を変更データ部に割り当て、この割当を実現することができるように分割位置ＤＰを決定する。なお、第３のダビング動作は、分割位置ＤＰの決定方法を除き、第１のダビング動作とほぼ同じである。【０１０４】
例えば、コンテンツデータ９０中のデータグループ９１Ａ、９１Ｂ、９１Ｃの中で最も高い記録ビットレートでエンコードされているデータグループが９１Ｃである場合には、分割位置決定部１６は、データユニット９１Ｃの一部が変更データ部９３に割り当てられるように分割位置ＤＰを決定する。この結果、分割位置ＤＰは、データユニット９１Ｃ中のいずれかの位置に設定される。【０１０５】
この例において、分割位置決定部１６は、分割位置ＤＰの決定を次のように行う。まず、ダビングすべきコンテンツデータ９０の全体のサイズＡ３０から管理情報９０Ａ、９０Ａ、…のサイズの合計値（Ａ３１＋Ａ３２＋Ａ３３）を引く。これにより、コンテンツデータ９０のうちの管理情報９０Ａ以外の部分のサイズ（Ａ４１＋Ａ４２＋Ａ４３）が得られる。【０１０６】
続いて、第２記録媒体３の未記録領域の容量Ｂ０から管理情報９０Ａのサイズの合計値を引く。これにより、コンテンツデータ９０のうちの管理情報９０Ａ以外の部分を記録することが可能な、第２記録媒体３の未記録領域の容量が得られる。【０１０７】
続いて、上述した式（１）および（２）に基づいて、非変更データ部９２のサイズおよび変更データ部９３のサイズを決定する。続いて、算出された非変更データ部９２のサイズまたは変更データ部９３のサイズに基づいて分割位置ＤＰを決定する。このとき、最も高い記録ビットレートを有するデータユニット９１Ｃの一部が変更データ部９３に割り当てられるように分割位置ＤＰを決定する。【０１０８】
第３のダビング動作により、第２記録媒体３には、図８中下段に示すように、コンテンツデータ１００が記録される。コンテンツデータ１００において、非変更データ部１０２は、図８中上段のコンテンツデータ９０における非変更データ部９２と、映像解像度および記録ビットレートが同じであり、サイズも同じである。また、非変更データ部１０２が複数のデータグループ１０１Ａ、１０１Ｂ、１０１Ｃに分かれている点も、非変更データ部９２と同じである。もちろんコンテンツの内容も同じである。一方、コンテンツデータ１００における変更データ部１０３は、コンテンツデータ９０における変更データ部９３よりも映像解像度または記録ビットレートが低く、サイズも小さい。もっとも、変更データ部１０３は、映像解像度または記録ビットレートの低下によりデータの圧縮率が高まっており、その結果サイズが小さくなっているものの、コンテンツの内容は変更データ部９３と同じである。【０１０９】
なお、最も高い記録ビットレートを有するデータユニット９１Ｃ全部を変更データ部９３に割り当ててもよい。この場合には、データユニット９１Ｂとデータユニット９１Ｃの境界に分割位置ＤＰを設定する。【０１１０】
また、コンテンツデータ９０中のデータグループ９１Ａ、９１Ｂ、９１Ｃの中で最も高い記録ビットレートでエンコードされているデータグループが９１Ａである場合には、分割位置決定部１６は、データユニット９１Ａの一部または全部を変更データ部に割り当てる。この結果、分割位置ＤＰは、データユニット９１Ａ内のいずれかの位置またはデータユニット９１Ａとデータユニット９１Ｂとの境界に設定される。【０１１１】
以上説明したとおり、第３のダイビング動作では、最も高い記録ビットレートでエンコードされたデータユニットの一部または全部を変更データ部に割り当てる。これにより、ダビング時間の短縮化を図ることができる。すなわち、記録ビットレートの変更処理を行う前において、記録ビットレートが異なる同じサイズのコンテンツデータがたとえば２個あるとした場合、これらのコンテンツデータのうち、記録ビットレートの高いコンテンツデータの方が再生時間が短い。このため、これらのコンテンツデータのうち、記録ビットレートの高いコンテンツデータの方が記録ビットレートの変更処理が速くなる。つまり、記録ビットレートが高いほど記録ビットレートの変更処理が速くなるのである。したがって、最も高い記録ビットレートでエンコードされたデータユニットの一部または全部を変更データ部に割り当てることにより、記録ビットレートの変更処理を速くすることができ、よってダビング時間の短縮化を図ることができる。【０１１２】
なお、ダビングすべきコンテンツデータが複数のコンテンツデータである場合にも、第３のダビング動作を適用することができる。この場合には、最も高い記録ビットレートでエンコードされたコンテンツデータの一部または全部を変更データ部に割り当てる。【０１１３】
（ダビング動作４）
図９は、第１記録媒体２に記録されたコンテンツデータ（図中上段）および第４のダビング動作により第２記録媒体３に記録されたコンテンツデータ（図中下段）を示している。情報記録装置１は、第１ないし第３のダビング動作に代えて、第４のダビング動作を行ってもよい。第４のダビング動作では、第１記録媒体２に記録されているコンテンツデータ１１０を、分割位置ＤＰを境に非変更データ部１１１と変更データ部１１２とに分割し、変更データ部１１２の先頭から末尾にかけて映像解像度を徐々に下げる。例えば、変更データ部１１２の映像解像度を３段階で下げる。この結果、このダビング動作によって第２記録媒体３に記録されたコンテンツデータ１２０の変更データ部１２２は、図９に示すように、映像解像度が異なる３個のデータ部１２２Ａ、１２２Ｂ、１２２Ｃから構成される。データ部１２２Ａの映像解像度は、非変更データ部１２１の映像解像度よりも低く、データ部１２２Ｂの映像解像度は、データ部１２２Ａの映像解像度よりも低く、データ部１２２Ｃの映像解像度は、データ部１２２Ｂの映像解像度よりも低い。【０１１４】
変更データ部の映像解像度を徐々に下げることにより、映像解像度の低下をユーザに感じさせないようにすることができる。これにより、変更データ部のサイズを小さくしつつ、画質の低下を目立たなくすることができる。【０１１５】
図１０は、第４のダビング動作により第２記録媒体３に記録されたコンテンツデータの一例を示している。この例は、第２記録媒体３が２層ＤＶＤ−Ｒであり、コンテンツデータがＶＲフォーマットである場合の例である。図１０に示すように、コンテンツデータ１３０において、ファイルシステム（ＦＳ）１３１およびビデオマネージャー（ＶＭＧ）１３２は管理情報に当たる。ビデオオブジェクト（ＶＯＢ）１３３、１３３、…は非変更データ部を構成する。また、ビデオオブジェクト（ＶＯＢ）１３４、１３５、１３６は、変更データ部を構成する。ビデオオブジェクト１３３、１３４、１３５、１３６の映像解像度は徐々に低くなっている。すなわち、ビデオオブジェクト１３４の映像解像度はビデオオブジェクト１３３の映像解像度よりも低く、ビデオオブジェクト１３５の映像解像度はビデオオブジェクト１３４の映像解像度よりも低く、ビデオオブジェクト１３６の映像解像度はビデオオブジェクト１３５の映像解像度よりも低い。【０１１６】
（ハードディスク内蔵型ＤＶＤレコーダ）
図１１は、本発明の情報記録装置をハードディスクドライブ内蔵型ＤＶＤレコーダに適用した場合の一例を示している。【０１１７】
ハードディスクドライブ内蔵型ＤＶＤレコーダ１５０は、テレビ受信回路１５１、エンコーダ１５２、切換スイッチ１５３、ハードディスクドライブ装置１５４、切換スイッチ１５５、デコーダ１５６、記録信号生成回路１５７、光ピックアップ１５８および中央演算処理装置（ＣＰＵ）１５９を備えている。ハードディスクドライブ装置１５４は、ハードディスク１５４Ａを内蔵している。【０１１８】
ＤＶＤレコーダ１５０は、テレビ放送局などから送信されるテレビ番組をハードディスク１５４Ａに記録する機能を備えている。テレビ放送局から送信されるテレビ番組をハードディスク１５４Ａに記録するとき、ＤＶＤレコーダ１５０は次のように動作する。まず、ＣＰＵ１５９は、切換スイッチ１５３を制御し、エンコーダ１５２とハードディスクドライブ装置１５４とを接続させる。続いて、ＣＰＵ１５９は、エンコーダ１５２を制御し、エンコード処理における映像解像度を第１映像解像度に設定し、さらにエンコード処理における記録ビットレートを第１記録ビットレートに設定する。続いて、テレビ受信回路１５１はテレビ放送局からテレビ番組を受信する。このテレビ番組はコンテンツデータとしてエンコーダ１５２に供給される。エンコーダ１５２は、第１映像解像度および第１記録ビットレートでコンテンツデータをエンコードする。続いて、ハードディスクドライブ装置１５４は、エンコードされたコンテンツデータをハードディスク１５４Ａに記録する。【０１１９】
ＤＶＤレコーダ１５０は、ハードディスク１５４Ａに記録されたコンテンツデータを２層ＤＶＤ−Ｒ５にダビングする機能を備えている。ハードディスク１５４Ａに記録されたコンテンツデータを２層ＤＶＤ−Ｒ５にダビングするとき、ＤＶＤレコーダ１５０は次のように動作する。まず、ＣＰＵ１５９は、ハードディスク１５４Ａに記録された、ダビングすべきコンテンツデータのサイズと、２層ＤＶＤ−Ｒ５の未記録領域の容量とを比較する。そして、コンテンツデータのサイズが、２層ＤＶＤ−Ｒ５の未記録領域の容量よりも大きいときには、ＣＰＵ１５９は、図２に示す手順に従って、第２映像解像度および第２記録ビットレートを決定する。上述したように、第２記録ビットレートは第１記録ビットレートよりも低い。また、第２映像解像度は第１映像解像度と等しいか、第１映像解像度よりも低い。さらに、ＣＰＵ１５９は、コンテンツデータの分割位置を決定し、分割位置を境にコンテンツデータを非変更データ部と変更データ部とに分割する。続いて、ＣＰＵ１５９は、切換スイッチ１５５を制御し、ハードディスクドライブ装置１５４と記録信号生成回路１５７とを接続させる。続いて、ＣＰＵ１５９は、非変更データ部をハードディスク１５４Ａから読み取り、これを記録信号生成回路１５７に供給する。記録信号生成回路１５７は、非変更データ部を記録パルス信号に変換し、これを光ピックアップ１５８に供給する。光ピックアップ１５８は記録パルス信号を２層ＤＶＤ−Ｒ５に記録する。これにより、非変更データ部が２層ＤＶＤ−Ｒ５に記録される。非変更データ部の２層ＤＶＤ−Ｒ５への記録が完了したら、ＣＰＵ１５９は、切換スイッチ１５５を制御し、ハードディスクドライブ装置１５４とデコーダ１５６とを接続させる。続いて、ＣＰＵ１５９は、切換スイッチ１５３を制御し、エンコーダ１５２と記録信号生成回路１５７とを接続させる。続いて、ＣＰＵ１５９は、エンコーダ１５２を制御し、エンコード処理における映像解像度を第２映像解像度に設定し、さらにエンコード処理における記録ビットレートを第２記録ビットレートに設定する。続いて、ＣＰＵ１５９は、変更データ部をハードディスク１５４Ａから読み取り、これをデコーダ１５６へ供給する。デコーダ１５６は、変更データ部をデコードし、デコードされた変更データ部をエンコーダ１５２に供給する。エンコーダ１５２は、デコードされた変更データ部を、第２映像解像度および第２記録ビットレートでエンコードする。エンコードされた変更データ部は、記録信号生成回路１５７に供給される。記録信号生成回路１５７は、変更データ部を記録パルス信号に変換し、これを光ピックアップ１５８に供給する。光ピックアップ１５８は記録パルス信号を２層ＤＶＤ−Ｒ５に記録する。これにより、変更データ部が２層ＤＶＤ−Ｒ５に記録される。その後、ＣＰＵ１５９は管理情報などを生成し、これを、記録信号生成回路１５７を介して２層ＤＶＤ−Ｒ５に記録する。【０１２０】
このように、ハードディスク内蔵型ＤＶＤレコーダ１５０は、ダビングすべきコンテンツデータのサイズが２層ＤＶＤ-Ｒ５の未記録領域の容量よりも大きいとき、コンテンツデータを非変更データ部と変更データ部とに分割し、変更データ部についてのみ、映像解像度または記録ビットレートの変更を行う。これにより、非変更データ部については高速に（例えば４倍速ダビングで）短時間でダビングを行うことができ、これによりダビング時間を短縮することができる。【０１２１】
なお、上述した実施形態では、本発明の情報記録装置をハードディスクドライブ内蔵型ＤＶＤレコーダ１５０といったハードウェア製品として実現する場合を例にあげた。しかし、本発明はこれに限られない。コンピュータにプログラムを読み込ませることにより、コンピュータ上に本発明の情報記録装置を実現してもよい。この場合には、読取部１１、分割部１２、レート解像度変更部１３、記録部１４、制御部１５としてコンピュータを機能させるためのコンピュータプログラムを作成する。【０１２２】
また、図１中の情報記録装置１において、読取部１１は読取手段の具体例であり、分割部１２は分割手段の具体例であり、レート解像度変更部１３は記録ビットレート変更手段および映像解像度変更手段の具体例であり、記録部１４は記録手段の具体例である。また、分割位置決定部１６は、分割位置決定手段の具体例であり、レート解像度決定部１７は、記録ビットレート決定手段および映像解像度決定手段の具体例であり、デコード部１８はデコード手段の具体例であり、エンコード部１９はエンコード手段の具体例である。【０１２３】
また、図２において、ステップＳ４は分割工程の具体例であり、ステップＳ５は記録工程の具体例であり、ステップＳ６は読取工程、記録ビットレート変更工程、映像解像度変更工程および記録工程の具体例である。【０１２４】
また、本発明は、請求の範囲および明細書全体から読み取るこのできる発明の要旨または思想に反しない範囲で適宜変更可能であり、そのような変更を伴う情報記録装置および情報記録方法並びにこれらの機能を実現するコンピュータプログラムもまた本発明の技術思想に含まれる。
【産業上の利用可能性】
【０１２５】
本発明に係る情報記録装置および情報記録方法は、例えばＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2007007759.tif 000002
【図２】
2007007759.tif 000003
【図３】
2007007759.tif 000004
【図４】
2007007759.tif 000005
【図５】
2007007759.tif 000006
【図６】
2007007759.tif 000007
【図７】
2007007759.tif 000008
【図８】
2007007759.tif 000009
【図９】
2007007759.tif 000010
【図１０】
2007007759.tif 000011
【図１１】
2007007759.tif 000012
【国際調査報告】
2007007759.tif 000013
2007007759.tif 000014
2007007759.tif 000015
2007007759.tif 000016